(57)【要約】【課題】充電用プラグを開閉する蓋体を備える携帯端末用充電器にあって、簡単で壊れ難い蓋体開閉機構を提供する。【解決手段】携帯端末に電力を供給するための電池１１と、該電池１１を収容するケース体１０と、該ケース体１０から突出するように設けられた充電用プラグ１３と、ケース体１０に脱着可能に装着されて充電用プラグ１３を開閉する蓋体３とを備える構成において、ケース体１０と蓋体３に夫々連結された、弾性材からなる環状の伸縮バンド４を設け、伸縮バンド４が、蓋体３を装着したケース体１０に外嵌し、伸縮バンド４の収縮力によってケース体１０と蓋体３を一体的に緊締保持する蓋体閉止状態と、蓋体３がケース体１０から分離して、ケース体１０と蓋体３とが伸縮バンド４によって連係される蓋体開放状態とに変換可能に構成する。【選択図】図３
2012196075.tif 000002
【特許請求の範囲】
【請求項１】
携帯端末に電力を供給するための電池と、該電池を収容するケース体と、該ケース体から突出するように設けられた充電用プラグと、ケース体に脱着可能に装着されて充電用プラグを開閉する蓋体とを備える携帯端末用充電器であって、
ケース体と蓋体に夫々連結された、弾性材からなる環状の伸縮バンドを備え、
蓋体を装着したケース体に伸縮バンドが外嵌し、伸縮バンドの収縮力によってケース体と蓋体が一体的に緊締保持される蓋体閉止状態と、
ケース体から蓋体が分離して、伸縮バンドを介してケース体と蓋体が連係される蓋体開放状態とに変換可能に構成されたことを特徴とする携帯端末用充電器。
【請求項２】
前記電池は二次電池であって、ケース体には、該電池に充電するための被充電用ソケットの開口部が形成されており、
該開口部は、伸縮バンドが外嵌する部分に形成されており、蓋体閉止状態で伸縮バンドによって閉止され、蓋体開放状態で開放されることを特徴とする請求項１に記載の携帯端末用充電器。
【請求項３】
伸縮バンドは、蓋体と連結する部位と略対向する部位でケース体と連結していることを特徴とする請求項１又は請求項２に記載の携帯端末用充電器。
【請求項４】
ケース体には、ストラップを連結するストラップ連結部が突設されており、
伸縮バンドに形成された貫通孔にストラップ連結部を挿通した状態で、該ストラップ連結部にストラップを連結することで、伸縮バンドがケース体に連結されることを特徴とする請求項１乃至請求項３のいずれか１項に記載の携帯端末用充電器。
【請求項５】
ケース体及び蓋体の外表面に、蓋体閉止状態でケース体に外嵌した伸縮バンドを保持する保持溝が形成されていることを特徴とする請求項１乃至請求項４のいずれか１項に記載の携帯端末用充電器。
【請求項６】
ケース体の内部に発光ダイオードが配設されており、
ケース体には、伸縮バンドが外嵌する部分に、前記発光ダイオードの光を外部に導く照明用貫通孔が開口しており、
さらに、伸縮バンドは、光透過性材料で構成されていることを特徴とする請求項１乃至請求項５のいずれか１項に記載の携帯端末用充電器。
【発明の詳細な説明】
【技術分野】
【０００１】
本発明は、外出先等で携帯端末に充電するための携帯端末用充電器に関する。
【背景技術】
【０００２】
携帯電話機などの携帯端末は、高機能化に伴って消費電力が向上しており、使用者は、頻繁に携帯端末を充電しなくてはならず、定期的な充電を怠ると外出先で不意に電池切れとなってしまうことが多い。そして、外出中の電池切れによるトラブルを解決するために、緊急用の充電器が知られている（例えば、特許文献１）。かかる携帯端末用充電器は、電源としての電池と、充電回路と、携帯端末のソケットに挿入するための充電用プラグなどからなる小型なものであり、携帯端末と一緒に持ち運ぶことで、外出先でも携帯端末に充電することができる。
【０００３】
そして、こうした緊急用の携帯端末用充電器にあっては、ケース体から突出する充電用プラグを開閉する蓋体を具備したものが知られている（例えば、特許文献２）。かかる携帯端末用充電器では、蓋体閉止状態にあって、充電用プラグを塵埃から保護するとともに、蓋体がケース体と一体となって意匠的外形を形成する。また、ケース体に収容された電池は二次電池であり、ケース体には二次電池に充電するための被充電用ソケットの開口部が開口し、該開口部を別の蓋体によって開閉するよう構成されている。
【先行技術文献】
【特許文献】
【０００４】
【特許文献１】特開２００７−２８８９５３号公報
【特許文献２】意匠登録第１３９４８８４号公報
【発明の概要】
【発明が解決しようとする課題】
【０００５】
ところで、特許文献２の携帯端末用充電器では、充電用プラグや充電用ソケットを覆う蓋体は、ヒンジによってケース体に枢支されているが、携帯端末用充電器を持ち運んでいると、多様な振動や衝撃が加わるため、振動や衝撃による負荷がヒンジ部分に集中してヒンジ部分が壊れてしまうことが多い。かかる問題に対して、ヒンジ部分の耐久性を向上させることが考えられるが、強度の高い金属材料などを用いると、加工の手間が大きくコスト高となり、また重くなって、持ち運びに不向きとなる。
【０００６】
本発明はかかる問題の解決を試みたものであり、充電用プラグを開閉する蓋体を備える携帯端末用充電器にあって、簡単で壊れ難い蓋体開閉機構を備える携帯端末用充電器の提供を目的とする。
【課題を解決するための手段】
【０００７】
本発明は、携帯端末に電力を供給するための電池と、該電池を収容するケース体と、該ケース体から突出するように設けられた充電用プラグと、ケース体に脱着可能に装着されて充電用プラグを開閉する蓋体とを備える携帯端末用充電器であって、ケース体と蓋体に夫々連結された、弾性材からなる環状の伸縮バンドを備え、蓋体を装着したケース体に伸縮バンドが外嵌し、伸縮バンドの収縮力によってケース体と蓋体が一体的に緊締保持される蓋体閉止状態と、ケース体から蓋体が分離して、伸縮バンドを介してケース体と蓋体が連係される蓋体開放状態とに変換可能に構成されたことを特徴とする携帯端末用充電器である。
【０００８】
かかる構成にあっては、伸縮バンドの収縮力によってケース体と蓋体とを一体的に緊締保持するため、ヒンジによって開閉する従来構成に比べて、振動や衝撃によって蓋体が不用意に外れたり、連結機構が破損したりし難くなる。なお、本発明の携帯端末用充電器は、ケース体に外嵌した伸縮バンドを伸張させて蓋体を取り外すことで、蓋体閉止状態から蓋体開放状態に簡単に変換することができる。また、本発明では、蓋体開放状態にあっても、ケース体と蓋体が伸縮バンドで連係されているため、蓋体を取り外してもケース体と蓋体がバラバラにならず、蓋体が紛失するおそれがない。また、伸縮バンドがケース体と蓋体を連係することで、ヒンジ機構に比べて、蓋体開放状態にあって、蓋体をケース体から離間させることができ、充電時に蓋体が邪魔となり難い。
【０００９】
また、本発明にあって、前記電池は二次電池であって、ケース体には、該電池に充電するための被充電用ソケットの開口部が形成されており、該開口部は、伸縮バンドが外嵌する部分に形成されており、蓋体閉止状態で伸縮バンドによって閉止され、蓋体開放状態で開放される構成が提案される。
【００１０】
かかる構成にあっては、被充電用ソケットを覆う蓋体を別途配設することなく、伸縮バンドを用いて被充電用ソケットを開閉することができる。また、充電用プラグの蓋体の脱着に合わせて、被充電用プラグが開閉することとなるため、充電用プラグと被充電用プラグを同時に開閉することができ、開閉操作が容易となる。
【００１１】
また、本発明にあって、伸縮バンドは、蓋体と連結する部位と略対向する部位でケース体と連結している構成が提案される。
【００１２】
かかる構成にあっては、蓋体閉止状態にあって、伸縮バンドの収縮力が偏り難くなり、ケース体と蓋体とを適切に緊締保持可能となる。また、蓋体をケース体から引っ張って伸縮バンドを伸張させるときに、伸縮バンドの連結部分に負荷がかかり難く、伸縮バンドを適切に伸張させることができる。
【００１３】
また、本発明にあって、ケース体には、ストラップを連結するストラップ連結部が突設されており、伸縮バンドに形成された貫通孔にストラップ連結部を挿通した状態で、該ストラップ連結部にストラップを連結することで、伸縮バンドがケース体に連結される構成が提案される。
【００１４】
かかる構成にあっては、伸縮バンドに貫通孔を形成するだけで、ケース体に伸縮バンドを簡単に連結することができ、また、ケース体からストラップを外すだけで、伸縮バンドとケース体の連結を簡単に解除することができる。
【００１５】
また、本発明にあって、ケース体及び蓋体の外表面に、蓋体閉止状態でケース体に外嵌した伸縮バンドを保持する保持溝が形成されている構成が提案される。
【００１６】
かかる構成にあっては、蓋体閉止状態で、ケース体に装着した蓋体を伸縮バンドによってより確実に保持可能となる。
【００１７】
また、本発明にあって、ケース体の内部に発光ダイオードが配設されており、ケース体には、伸縮バンドが外嵌する部分に、前記発光ダイオードの光を外部に導く照明用貫通孔が開口しており、さらに、伸縮バンドは、光透過性材料で構成されている構成が提案される。
【００１８】
かかる構成にあっては、簡単な構成によって、携帯端末用充電器に照明機能を付与することができる。
【発明の効果】
【００１９】
以上のように、本発明の携帯端末用充電器によれば、伸縮バンドの収縮力でケース体と蓋体を一体的に緊締保持することで、蓋体をヒンジで連結する従来構成に比べて、蓋体を確実に保持することができ、衝撃や振動によって蓋体が外れたり、破損したりし難くなる。また、弾性材からなる伸縮バンドは、蓋体閉止状態でケース体に外嵌することで、ケース体内部の電池などを衝撃から保護する衝撃吸収材としても機能することができる。また、本発明では、ケース体と蓋体を伸縮バンドで連係することで、蓋体開放状態にあって蓋体を紛失するおそれがなく、かつ、蓋体がケース体から離間することで、ヒンジ機構に比べて蓋体が充電作業の邪魔となり難いという利点がある。また、弾性材からなる伸縮バンドは、製造が簡単で、低廉かつ軽量な材料で製造できるため、本発明の携帯端末用充電器は、低コストで、持ち運びに適した重量を実現できる。
【図面の簡単な説明】
【００２０】
【図１】携帯端末用充電器１の正面図である。
【図２】携帯端末用充電器１の右側面図である。
【図３】携帯端末用充電器１の内部構造を示す断面図である。
【図４】充電器本体２の正面図である。
【図５】ケース体１０を切断して充電器本体２の内部構造を示す断面図である。
【図６】図４中のＡ方向から見た充電器本体２の側面図である。
【図７】（ａ）は、蓋体３の正面図であり、（ｂ）は、蓋体３の底面図である。
【図８】（ａ）は、図７（ａ）中のＢ方向から見た蓋体３の側面図であり、（ｂ）は、図７（ｂ）中のＣ−Ｃ線断面図である。
【図９】（ａ）は、伸縮バンド４の正面図であり、（ｂ）は、伸縮バンド４の平面図であり、（ｃ）は、（ｂ）中のＤ−Ｄ線断面図である。
【図１０】蓋体閉止状態から蓋体開放状態に変換する操作を示す説明図である。
【図１１】携帯端末Ｘへの充電方法を示す説明図である。
【図１２】二次電池１１への充電方法を示す説明図である。
【発明を実施するための形態】
【００２１】
本発明の実施形態を、以下の実施例に従って説明する。
【００２２】
実施例の携帯端末用充電器１は、充電器本体２と、該充電器本体２に脱着可能に装着される蓋体３と、環状の伸縮バンド４とを備えてなり、図１〜３に示すように、その蓋体閉止状態にあっては、蓋体３を装着した充電器本体２に伸縮バンド４が外嵌し、伸縮バンド４の収縮力によって、充電器本体２と蓋体３とが一体的に保持される。また、携帯端末用充電器１は、携帯端末等に連結するためのストラップ５を備えている。
【００２３】
充電器本体２は、図４〜６に示すように、硬質樹脂からなるケース体１０に、二次電池１１や充電回路基板１２などを収容してなるものである。充電回路基板１２は、二次電池１１の充放電を制御する充電回路を備え、二次電池１１と接続されている。この充電回路基板１２は既存構成を好適に採用できる。
【００２４】
図４に示すように、ケース体１０は、ハート形の左下部を直線状に切り欠いた形状をなしており、かかる切欠き部位１５を蓋体３を装着する蓋体装着部としている。この蓋体装着部１５には、図５に示すように、開口部１７が形成されており、該開口部１７から充電用プラグ１３がケース体１０の外側に突出している。
【００２５】
充電用プラグ１３は、充電対象の携帯端末に設けられたソケットに適合するものであり、かかる充電用プラグ１３を携帯端末に接続することで、二次電池１１に蓄積された電力を携帯端末に供給することができる。
【００２６】
図５，６に示すように、ケース体１０の外周面には、蓋体装着部１５を除いて、伸縮バンド４を保持するための保持溝１６が形成される。この保持溝１６は、伸縮バンド４と同程度の幅寸法をなしており、伸縮バンド４は、ケース体１０に外嵌した状態でこの保持溝１６に嵌合し、幅方向に動かないよう保持される（図２，３参照）。
【００２７】
また、図５，６に示すように、ケース体１０の右側部には、保持溝１６の内底面にスリット状の開口部１８が形成されており、該開口部１８を介して、ケース体１０の内部に設けられた被充電用ソケット１４に接続できるよう構成されている。
【００２８】
被充電用ソケット１４は、充電対象の携帯端末に設けられたソケットと同形状のものであり、かかる被充電用ソケット１４に別の充電器の充電用端子を接続することで、二次電池１１に充電することができる。
【００２９】
また、図４〜６に示すように、ケース体１０は、発光ダイオード（ＬＥＤ）１９を内蔵しており、ケース体１０の正面に設けられた点灯ボタン２０を押圧操作するとこのＬＥＤ１９が点灯するよう構成されている。具体的には、ＬＥＤ１９及び点灯ボタン２０は、充電回路基板１２と接続され、充電回路基板１２は、点灯ボタン２０の押圧を検知してＬＥＤ１９を点灯させる点灯回路を備えている。ＬＥＤ１９は、ケース体１０の内部の右上部に収容されており、ケース体１０の右上部には、ＬＥＤ１９の光を外部に導く照明用貫通孔２１が、保持溝１６の内底面に開口している。また、本実施例では、充電回路基板１２は、被充電用ソケット１４を介して二次電池１１がフル充電された時にもＬＥＤ１９を点灯させるよう構成されている。
【００３０】
また、図４，５に示すように、ケース体１０の上部中央には、保持溝１６の内底面に、連結孔２３を備えるストラップ連結部２２が突成されており、該ストラップ連結部２２の連結孔２３に、ストラップ５の一端が脱着可能に連結される。
【００３１】
蓋体３は、図７，８に示すように、右上部に開口部３０が形成された椀形状をなしており、図３に示すように、充電用プラグ１３を内空部３１に収容するようにして、ケース体１０の蓋体装着部１５に対して脱着可能に装着される。蓋体３は、ケース体１０と同じ硬質樹脂によって構成されており、蓋体３をケース体１０に装着することで、充電用プラグ１３が覆われて外部から保護されるとともに、ケース体１０と蓋体３によってハート形の意匠形状が形成される。
【００３２】
また、蓋体３の外周面には、伸縮バンド４を保持するための保持溝３２が形成される。この保持溝３２は、図２，３に示すように、伸縮バンド４と同程度の幅寸法をなしており、蓋体３をケース体１０に装着した状態にあって、ケース体１０と蓋体３の保持溝１６，３２が円環状に連続するよう構成され、蓋体閉止状態にあってこの保持溝１６，３２に伸縮バンド４を勘合させることで、ケース体１０と蓋体３に外嵌した伸縮バンド４が脱落しないように保持される。
【００３３】
また、蓋体３には、保持溝３２の内底面に、伸縮バンド４と連結するための連結溝孔３３ａ，３３ｂが形成される。また、蓋体３の外表面には、開口部３０付近に表裏一対のリブ３４，３４が形成されており、かかるリブ３４を指掛かりにして、伸縮バンド４に抗して蓋体３を充電器本体２から引き離し得るよう構成されている。
【００３４】
伸縮バンド４は、図９に示すように、正面視ハート形をなす環状帯片であり、シリコンゴムなどの弾性材によって構成される。伸縮バンド４の内周下部には、二つの連結用突片４０ａ，４０ｂが内方に突成される。図３に示すように、伸縮バンド４は、これらの連結用突片４０ａ，４０ｂを蓋体３の連結溝孔３３ａ，３３ｂに嵌合させることで蓋体３の保持溝３２に連結される。
【００３５】
また、図９に示すように、伸縮バンド４の上部中央には貫通孔４１が形成される。図３に示すように、かかる貫通孔４１には、ケース体１０のストラップ連結部２２が挿通しており、かかる挿通状態でストラップ連結部２２にストラップ５を連結することで、伸縮バンド４は、ケース体１０の上部中央に脱着可能に連結される。
【００３６】
図１〜３に示すように、伸縮バンド４は、蓋体閉止状態にあって、蓋体３を装着したケース体１０の側面を囲繞するように外嵌する。伸縮バンド４は、蓋体装着時のケース体１０の外周長よりも短く、ケース体１０に外嵌した伸縮バンド４は伸張状態となり、その弾性収縮力によってケース体１０と蓋体３とが一体的に緊締保持される。また、かかる蓋体閉止状態にあって、伸縮バンド４は、ケース体１０と蓋体３の保持溝１６，３２によって、ケース体１０及び蓋体３の外周部から脱落しないよう保持される。
【００３７】
また、かかる蓋体閉止状態にあっては、図３に示すように、ケース体１０の被充電用ソケット１４は、伸縮バンド４によって開口部１８を覆われて閉塞状態となる。また、ケース体１０の照明用貫通孔２１も、伸縮バンド４によって覆われて閉塞状態となる。したがって、蓋体閉止状態では、ケース体１０の外周部に形成された開口部１７，１８，２２は全て覆われて保護されることとなる。
【００３８】
ここで、伸縮バンド４は、光透過性の材料で構成されており、照明用貫通孔２１が伸縮バンド４で覆われていても、ＬＥＤ１９の光を、伸縮バンド４を透過して外部に放出し、照明として使用することができる。また、伸縮バンド４の、ケース体１０の照明用貫通孔２１と対向する位置には、照明用凹部４２が形成されており、かかる照明用凹部４２の形成によって、照明用貫通孔２１に対向する部位を薄肉にすることで、伸縮バンド４を透過する光の減衰を抑え、ＬＥＤ１９の光を多量に外部に放出できるようになっている。
【００３９】
本実施例の携帯端末用充電器１は、図１０（ａ）に示すように、充電器本体２と蓋体３とを伸縮バンド４の収縮力に抗して引っ張り、充電用プラグ１３が蓋体３の開口部３０から完全に脱落した状態で、蓋体３を充電器本体２の上方に捲り上げるように移動させることで、図１０（ｂ）に示す蓋体開放状態に変換することができる。なお、蓋体開放状態から蓋体閉止状態にする場合には、図１０（ａ），１０（ｂ）の手順を逆に行えばよい。かかる蓋体開放状態では、伸縮バンド４がケース体１０の保持溝１６から脱落しており、蓋体３を放しても蓋体３はケース体１０の蓋体装着部１５には付勢されず、ケース体１０から分離した状態に留まることとなる。また、かかる蓋体開放状態では、伸縮バンド４がケース体１０の保持溝１６から脱落することで、伸縮バンド４に覆われていた被充電用ソケット１４の開口部１８も開放される。したがって、本実施例では、蓋体閉止状態から蓋体開放状態に変換することで、充電用プラグ１３及び被充電用ソケット１４を同時に開放することができる。また、伸縮バンド４は、充電器本体２と蓋体３の両方に連結しているため、蓋体開放状態では、蓋体３が充電器本体２から分離していても、充電器本体２と蓋体３は伸縮バンド４によってバラバラにならずに連係される。
【００４０】
そして、蓋体開放状態にあっては、充電用プラグ１３と被充電用ソケット１４が開放されることで、携帯端末への充電や、二次電池１１への充電が可能となる。具体的には、本実施例の携帯端末用充電器１を用いて携帯端末Ｘに充電する場合は、図１１に示すように、蓋体開放状態で、携帯端末Ｘのソケットに充電用プラグ１３を接続するだけでよい。また、二次電池１１に充電する場合には、図１２に示すように、蓋体開放状態で、別の充電器の充電用端子Ｙを被充電用ソケット１４に接続すればよい。
【００４１】
以上に説明したように、本実施例の携帯端末用充電器１では、蓋体閉止状態にあって、蓋体３を伸縮バンド４の収縮力によってケース体１０に緊締保持しているから、蓋体３をヒンジ構造で開閉する従来構成に比べて、蓋体３が不用意に外れ難く、また、蓋体３とケース体１０の連結機構が破損するおそれが少ない。
【００４２】
また、図１に示すように、蓋体閉止状態にあって、弾性材からなる伸縮バンド４が、ケース体１０や蓋体３の外周を取り巻くように外嵌しているため、携帯端末用充電器１を落としたり、ぶつけたりした時に、伸縮バンド４が衝撃吸収作用を発揮し、二次電池１１や充電回路基板１２などを衝撃から保護することができる。なお、伸縮バンド４は、蓋体閉止状態で、ケース体１０及び蓋体３の保持溝１６，３２に保持されており、振動や衝撃が加わってもケース体１０から脱落しない。
【００４３】
また、本実施例では、蓋体閉止状態から蓋体開放状態にすることで、充電用プラグ１３と被充電用ソケット１４とを同時に開放できるという利点がある。また、被充電用ソケット１４の開口部１８は、伸縮バンド４によって開閉されるため、本実施例の携帯端末用充電器１では、当該開口部１８を開閉する専用の蓋体を省略することができる。
【００４４】
また、本実施例では、伸縮バンド４は、ケース体１０と蓋体３に夫々連結されて、両者を連係しているため、蓋体３を充電器本体２から取り外しても、充電器本体２と蓋体３がバラバラにならず、充電中に蓋体３が紛失するおそれがない。一方で、ケース体１０と蓋体３を、伸縮バンド４を介して連係することで、ヒンジ機構に比して、蓋体開放状態にあって、蓋体３を充電用プラグ１３や被充電用ソケット１４から離間させることができ、蓋体３が充電作業の邪魔になり難い。
【００４５】
また、伸縮バンド４にあって、ケース体１０と連結するための貫通孔４１と、蓋体３と連結するための連結用突片４０ａ，４０ｂが、上下に対向するように形成されており、伸縮バンド４は、蓋体装着部１５の略反対側でケース体１０と連結するよう構成されているから、蓋体閉止状態にあって、伸縮バンド４の収縮力が左右に偏り難く、ケース体１０と蓋体３とを適切に緊締保持できる。また、このように、伸縮バンド４の収縮力が左右で略等しくなることで、図１０（ａ）に示すように、蓋体３をケース体１０から引っ張ったときに、伸縮バンド４の連結部分に負荷がかかり難いという利点もある。また、伸縮バンド４にあって、蓋体連結部位とケース体連結部位とを上下に対向させることで、図１０（ｂ）に示すように、蓋体開放状態にあって、伸縮バンド４の長さに比して、蓋体３をケース体１０から大きく離間させることができ、携帯端末Ｘへの充電時に蓋体３が邪魔になり難い。
【００４６】
なお、本発明の携帯端末用充電器は、上記実施例の形態に限らず本発明の要旨を逸脱しない範囲内において種々変更を加えることができる。
【符号の説明】
【００４７】
１  携帯端末用充電器
２  充電器本体
３  蓋体
４  伸縮バンド
５  ストラップ
１０  ケース体
１１  二次電池
１２  充電回路基板
１３  充電用プラグ
１４  被充電用ソケット
１５  蓋体装着部
１６  保持溝
１７  開口部
１８  開口部（被充電用ソケットの開口部）
１９  発光ダイオード（ＬＥＤ）
２０  点灯ボタン
２１  照明用貫通孔
２２  ストラップ連結部
２３  連結孔
３０  開口部
３１  内空部
３２  保持溝
３３ａ、３３ｂ  連結溝孔
３４  リブ
４０ａ，４０ｂ  連結用突片
４１  貫通孔
４２  照明用凹部
Ｘ  携帯端末
Ｙ  充電用端子
【図１】
2012196075.tif 000003
【図２】
2012196075.tif 000004
【図３】
2012196075.tif 000005
【図４】
2012196075.tif 000006
【図５】
2012196075.tif 000007
【図６】
2012196075.tif 000008
【図７】
2012196075.tif 000009
【図８】
2012196075.tif 000010
【図９】
2012196075.tif 000011
【図１０】
2012196075.tif 000012
【図１１】
2012196075.tif 000013
【図１２】
2012196075.tif 000014